(57)【要約】【課題】  くし型頭皮洗浄具において、使用時に、いちいち指で押ボタン部を操作しなければ使用することができず、操作が面倒で使い勝手が悪い。【解決手段】  くし型頭皮洗浄具は、内部に通液路１８を有し、その通液路出口１８ａを先端に設ける把手１５を備える。また、内部に給液路を有し、その給液路入口２１ｂ、２２ｂを基端に設けるくし２０を備える。そして、把手の先端に、くしを取り付けて、把手内の通液路およびくし内の給液路を通して供給する液体を、くし歯２５に設ける給液路出口から吐出する。くしは、給液路入口が通液路出口と連通しない第１位置と、通液路出口と連通する第２位置とに回動自在とし、把手とくしとの間に設けるねじりコイルばね（付勢ばね）２９によって、常時、第１位置に付勢してなる。【選択図】      図５
2004249120.tif 000002
【特許請求の範囲】
【請求項１】
くし内の給液路を通して供給する液体を、くし歯に設ける給液路出口から吐出するくし型頭皮洗浄具において、
前記くし歯の途中に前記給液路出口を設けてなる、くし型頭皮洗浄具。
【請求項２】
前記給液路出口を、前記くしの移動方向において前記くし歯の歯部の後側に設けてなる、請求項１に記載のくし型頭皮洗浄具。
【請求項３】
前記くしの移動方向において前記くし歯の前後両側に歯部を設け、それら歯部間に前記給液路出口を設けてなる、請求項１に記載のくし型頭皮洗浄具。
【請求項４】
前記給液路出口を、前記くしの移動方向において前記くし歯の歯部の前後両側に設けてなる、請求項１に記載のくし型頭皮洗浄具。
【請求項５】
内部に通液路を有し、その通液路出口を先端に設ける把手と、
内部に給液路を有し、その給液路出口をくし歯に設け、給液路入口が前記通液路出口と連通しない第１位置と、前記通液路出口と連通する第２位置とに回動自在に前記把手の先端に取り付けるくしと、
そのくしと前記把手との間に設けて前記くしを常時付勢して前記第１位置に保持する付勢ばねと、
を備える、くし型頭皮洗浄具。
【請求項６】
前記給液路入口として、前記くしを一方向に回動して前記第２位置としたとき前記通液路出口と連通する第１の給液路入口と、前記くしを他方向に回動して前記第２位置としたとき前記通液路出口と連通する第２の給液路入口とを設けてなる、請求項５に記載のくし型頭皮洗浄具。
【発明の詳細な説明】
【技術分野】
【０００１】
この発明は、くし内の給液路を通して供給する水や薬液などの液体を、くし歯に設ける給液路出口から吐出し、くしですきながら頭皮を洗浄するくし型頭皮洗浄具に関する。
【背景技術】
【０００２】
従来、この種のくし型頭皮洗浄具のように、液体を人の頭部に供給するものの中に、たとえば図９に示すように、整髪料や染毛剤等の液体を入れたボトル状容器１の口にくし２を取り付けたものがある。
【０００３】
この従来のものは、くし２の内部に、不図示のバルブを介して容器１と連通する細長い給液路３を設け、さらにその給液路３を各くし歯２ａの先端にまで延長して設け、その先端に給液路出口３ａをあけてなる。
【０００４】
そして、使用時、容器１を手で持ってくし歯２ａを頭部に向けてから、くし２の基端部２ｂに設ける押ボタン部２ｃを指で押し下げてバルブを開き、容器１内から液体を給液路３に送り込み、その給液路３を通して給液路出口３ａから吐出して頭髪に供給していた。
【０００５】
また、他の従来のものの中に、同様にボトル状容器にくしを取り付け、図１０に示すように、各くし歯２ａの先端部に、給液路３の第１の給液路出口３ｂを設けるとともに、各しく歯２ａの基端部間に、第２の給液路出口３ｃを設けたものがある。
【０００６】
そして、使用時、同様に、不図示の容器を手で持ってくし歯２ａを頭部に向けてから、不図示の押ボタン部を操作してバルブを開き、容器内から給液路３に液体を送り込み、その給液路３を通して第１の給液路出口３ｂから吐出するとともに、第２の給液路出口３ｃからも吐出できるようにしていた。
【発明の開示】
【発明が解決しようとする課題】
【０００７】
ところが、従来、図９に示すものでは、それを仮に頭皮洗浄具として使用する場合、給液路出口３ａがくし歯２ａの先端にあるため、くし歯２ａの先端が頭部に当たると、給液路出口３ａが塞がれてしまう。そこで、くし歯２ａが頭部に当たらないように離して使用すると、今度は吐出する液体が途中で髪に遮られるため、いちいち髪を手でかき分けながら液体を供給する必要があり、やはり使い勝手が悪いという課題がある。
【０００８】
また、図１０に示すものでは、同様に頭皮洗浄具として使用する場合、第２の給液路出口３ｃからも液体を吐出するが、同様に、その吐出途中で液体が髪に遮られるため、いちいち髪をかき分けなければならず、結局、使い勝手が悪いという課題がある。
【０００９】
さらに、上述の従来のものでは、いずれも、液体を供給するとき、いちいち指で押ボタン部を操作しないと、バルブを開けることができず、操作が面倒で、その点においても使い勝手が悪いという課題がある。
【課題を解決するための手段】
【００１０】
そこで、請求項１に記載の発明は、たとえば以下の図１および図２に示す実施の形態のように、くし１０内の給液路１３を通して供給する水などの液体を、くし歯１２に設ける給液路出口１３ａから吐出するくし型頭皮洗浄具において、前記くし歯１２の途中に前記給液路出口１３ａを設けてなる、ことを特徴とする。
【００１１】
そして、使用時、くし歯１２を頭部に当ててくし歯１２の途中の給液路出口１３ａから液体を吐出し、髪をすきながら頭皮を洗浄する。
【００１２】
請求項２に記載の発明は、請求項１に記載のくし型頭皮洗浄具において、たとえば以下の図２に示す実施の形態のように、前記給液路出口１３ａを、前記くし１０の移動方向Ａにおいて前記くし歯１２の歯部１２ｂの後側に設けてなる、ことを特徴とする。
【００１３】
そして、くし１０を移動してくし歯１２で髪をすきながら、くし１０の移動方向Ａ後側の給液路出口１３ａから液体を吐出する。
【００１４】
請求項３に記載の発明は、請求項１に記載のくし型頭皮洗浄具において、たとえば以下の図３に示す実施の形態のように、前記くし１０の移動方向Ｂにおいて前記くし歯１２の前後両側に歯部１２ｃ・１２ｄを設け、それら歯部１２ｃ・１２ｄ間に前記給液路出口１３ａを設けてなる、ことを特徴とする。
【００１５】
そして、くし１０を移動方向Ｂの一方に移動して一側の歯部１２ｃで髪をかき分けるときは、その移動方向の後側で給液路出口１３ａから液体を吐出する。一方、くし１０を移動方向Ｂの他方に移動して他側の歯部１２ｄで髪をかき分けるときも、その移動方向の後側で同じ給液路出口１３ａから液体を吐出する。
【００１６】
請求項４に記載の発明は、請求項１に記載のくし型頭皮洗浄具において、たとえば以下の図４に示す実施の形態のように、前記給液路出口２１ａ・２２ａを、前記くし２０の移動方向Ｃ・Ｄにおいて前記くし歯２５の歯部２５ｂの前後両側に設けてなる、ことを特徴とする。
【００１７】
そして、くし１０を、たとえば一方向Ｃに移動してくし歯１２で髪をかき分けるとき、その移動方向の後側で、たとえば給液路出口２１ａから液体を吐出する。一方、くし１０を他方向Ｄに移動してくし歯１２で髪をかき分けるとき、その移動方向の後側で、たとえば給液路出口２２ａから液体を吐出する。
【００１８】
請求項５に記載の発明のくし型頭皮洗浄具は、たとえば以下の図４〜図８に示す実施の形態のように、内部に通液路１８を有し、その通液路出口１８ａを先端に設ける把手１５と、内部に給液路２１・２２を有し、その給液路出口２１ａ・２２ａをくし歯２５に設け、給液路入口２１ｂ・２２ｂが前記通液路出口１８ａと連通しない第１位置と、前記通液路出口１８ａと連通する第２位置とに回動自在に前記把手１５の先端に取り付けるくし２０と、そのくし２０と前記把手１５との間に設けて前記くし２０を常時付勢して前記第１位置に保持するねじりコイルばね２９のような付勢ばねと、を備えることを特徴とする。
【００１９】
そして、常時は、くし２０を付勢ばねで付勢して第１位置に保持し、給液路入口２１ｂ・２２ｂと通液路出口１８ａとが連通しない止水状態とする。一方、使用時は、把手１５を手で持ち、頭部にくし歯２５を当てて付勢ばねに抗して回動して第２位置とし、液体を通液路出口１８ａから給液路入口２１ｂ・２２ｂを通して給液路２１・２２に送り込み、その給液路出口２１ａ・２２ａから吐出して頭皮を洗浄する。
【００２０】
請求項６に記載の発明は、請求項５に記載のくし型頭皮洗浄具において、たとえば以下の図４〜図８に示す実施の形態のように、前記給液路入口として、前記くし２０を一方向に回動して前記第２位置としたとき前記通液路出口１８ａと連通する第１の給液路入口２１ｂと、前記くし２０を他方向に回動して前記第２位置としたとき前記通液路出口１８ａと連通する第２の給液路入口２２ｂとを設けてなる、ことを特徴とする。
【００２１】
そして、くし歯２５を頭部に当て、くし２０を移動して一方向に回動したとき、通液路出口１８ａが第１の給液路入口２１ｂと連通し、その通液路出口１８ａから第１の給液路入口２１ｂを通して液体を給液路２１に送り込む。一方、くし歯２５を頭部に当て、くし２０を移動して他方向に回動したとき、通液路出口１８ａが第２の給液路入口２２ｂと連通し、その通液路出口１８ａから第２の給液路入口２２ｂを通して液体を給液路２２に送り込む。
【発明の効果】
【００２２】
したがって、請求項１に記載の発明によれば、液体の吐出する給液路出口を、従来のようにくし歯の先端や基端側ではなく、くし歯の途中に設けるから、使用時に、給液路出口が頭部で塞がれる心配がなく、また、液体が吐出途中に髪で遮られないように髪を手でかき分ける必要もなく、これにより、頭皮洗浄具の使い勝手を良くすることができる。
【００２３】
請求項２に記載の発明によれば、加えて、給液路出口を、くしの移動方向においてくし歯の歯部の後側に設けるから、くし歯で髪をかき分けた後に露出する頭皮に液体を直接当て、頭皮をより効果的に洗浄することができる。
【００２４】
請求項３および４に記載の発明によれば、加えて、くしを移動して髪をかき分けるとき、そのくしの移動方向に関係なく、少なくとも後側の給液路出口から液体を吐出するようにするから、使用中に髪のかき分け方向を変える場合でも、逐一くしを持ち変える必要がなく、面倒なく頭皮を洗浄することができる。
【００２５】
請求項５に記載の発明によれば、くしを移動して髪をかき分けたとき、そのくしが第２位置に回動すると、給液路入口と通液路出口とが自動的に連通する構成とするから、使用時に、従来の如くバルブの押ボタン等をいちいち手動操作しなくても、簡単に給液路を開閉することができ、これにより、頭皮洗浄具の使い勝手を良くすることができる。
【００２６】
請求項６に記載の発明によれば、加えて、くしを移動して髪をかき分けたとき、くしの回動方向に応じて、いずれか一方の給液路入口が把手の通液路出口と連通するように給液路入口を２つ設けるから、使用時、くしの移動と連動して給液路入口を自動的に開閉することができ、その結果、頭皮洗浄具の使い勝手をより一層良好にすることができる。
【発明を実施するための最良の形態】
【００２７】
以下、図面を参照しつつ、この発明の実施の形態について説明する。
図１に、この発明のくし型頭皮洗浄具に備えるくしの一例を示す。
【００２８】
くし１０は、たとえば樹脂材料でつくり、その長手のくし本体部１１の基端側に、図示しないが、把手部を形成し、先端側に複数のくし歯１２を形成してなる。くし本体部１１には、その内部の長手方向に給液路１３を形成し、図示しないが、基端側にその給液路入口をあけ、そこに給水チューブを接続してなる。
【００２９】
くし歯１２は、そのうちの図１中左右両端以外のものを、図２に示すように形成する。やや厚肉な基部１２ａの先端に、その図中左側から一段薄肉な歯部１２ｂを突出して形成する。そして、その基部１２ａ内に、その図中右側に給液路１３から分岐する流路を形成し、その給液路出口１３ａを、くし歯１２の途中で歯部１２ｂの図中右側から図中下向きに開口してなる。
【００３０】
さて、上述した頭皮洗浄具を使用するときは、たとえば洗面所等で、くし１０の把手部を手で持って頭部にくし歯１２を当て、くし１０を、たとえば図中矢示するＡ方向に移動して髪をかき分け、分け目から頭皮を露出させる。なお、そのとき、くし１０の向きが、その移動方向Ａ前側に歯部１２ｂが位置し、後側に給液路出口１３ａが位置するように、把手部を持ってくし歯１２を頭部に当てる。
【００３１】
そして、図示しないが、たとえばスタートスイッチをオンして給水ポンプを作動し、給水タンクから水を給水チューブを通して給液路１３へ送り込む。そうして、くし１０の移動方向後側で、くし歯１２途中の給液路出口１３ａから水を吐出して頭皮を洗浄する。
【００３２】
なお、給液路出口１３ａから吐出する水は、たとえば往復ポンプ等を用いて脈動ジェット水流にして頭皮に当てるようにするとよい。これにより、頭皮の洗浄効果やマッサージ効果をアップさせることができる。
【００３３】
ところで、上述した図示実施の形態では、くし歯１２に歯部１２ｂを１つ設ける。しかし、くし歯１２には、たとえば図３に示すように、くし１０の移動方向Ｂにおいて、基部１２ａの前後両側から下向きにそれぞれ突出する歯部１２ｃ・１２ｄを設け、それら歯部１２ｃ・１２ｄ間に給液路出口１３ａを設けることもできる。
【００３４】
そして、使用時は、くし１０を移動方向Ｂの一方に移動して歯部１２ｃで髪をかき分けるときは、その移動方向後側で、給液路出口１３ａから液体を吐出する。一方、くし１０を移動方向Ｂの他方に移動して歯部１２ｄで髪をかき分けるときも、その移動方向後側で、同じ給液路出口１３ａから水を吐出する。
【００３５】
また、上述した図示実施の形態では、給液路出口１３ａを１つ設ける。しかし、くし歯１２には、たとえば図４に示すように、その基部２５ａの先端ほぼ中間位置から図中下向きに歯部２５ｂを突出して設け、くし２０の移動方向Ｃ・Ｄにおいて歯部２５ｂの前後（図中左右）両側に給液路出口２１ａ・２２ａを設けることもできる。
【００３６】
そして、使用時は、くし２０を移動してくし歯２５で髪をかき分けるとき、その移動方向Ｃ・Ｄ前後両側の給液路出口２１ａ・２２ａから液体を吐出する。したがって、髪をかき分ける方向を途中で変えたとしても、給液路出口２１ａ・２２ｂの少なくとも一方が歯部２５ｂの後側に位置し、その一方の給液路出口から突出する水を、髪をかき分けた後の頭皮に当てて洗浄することができる。
【００３７】
ところで、そのようにくし歯２５の前後両側に給液路出口２１ａ・２２ｂを設ける場合は、図４に示すように、給液路出口２１ａ・２２ｂの給液路２１・２２をそれぞれ個別に設けてもよいし、図示しないが、給液路出口２１ａ・２２ｂに共通の給液路を１つ設ける構成としてもよい。
【００３８】
しかし、図４に示すように給液路２１・２２を個別に設ける場合には、くしを移動して髪をかき分けるとき、その移動方向後側に位置する一方の給液路出口からのみ水が吐出するように通水経路を切替可能にするとよい。
【００３９】
その場合、この発明による頭皮洗浄具では、たとえば図５に示すように、把手１５とくし２０とを分割して形成する。
【００４０】
把手１５には、その長手のグリップ部１６の外周に複数の指当て凹部１６ａを設け、そのグリップ部１６の先端に、太径な円形の嵌合部１７を設ける。また、内部に長手方向に貫通する通液路１８を形成し、その通液路入口をクリップ部１６の基端面に設け、通液路入口に給水チューブ１９を接続する。一方、嵌合部１７の先端面には、パイプ状の細筒部１７ｃを立設してそこに通液路出口１８ａを形成する。また、その通液路出口１８ａの両側にピン１７ａ・１７ｂを立設してなる。
【００４１】
くし２０には、長手のくし本体部２４内に、その長手方向に並行して図４に示すように２つの給液路２１・２２を個別に形成する。そして、複数のくし歯２５の基部２５ａ内に、給液路２１・２２からそれぞれ分岐して流路を形成し、各々の給液路出口２１ａ・２２ａを、上述のように歯部２５ｂの図中左右両側に設けてなる。一方、図５に示すように、くし本体部２４の基端面２４ａには、ともに通液路出口１８ａより若干小径な、給液路２１の給液路入口（第１の給液路入口）２１ｂと、給液路２２の給液路入口（第２の給液路入口）２２ｂを設けてなる。
【００４２】
また、その基端面２４ａほぼ中央には、凸部２４ｂを設け、その凸部２４ｂの両側には、ピン２４ｃ・２４ｄを立設する。さらに、基端面２４ａの外周には、ピン２４ｃ・２４ｄ等を囲むように円筒部２４ｅを設けてなる。そして、凸部２４ｂにねじりコイルばね（付勢ばね）２９を取り付け、そのねじりコイルばね２９の一端をピン２４ｃに押し当てるとともに、他端をピン２４ｄに押し当ててなる。
【００４３】
そうして、円筒部２４ｅ内に把手１５の嵌合部１７を嵌め込んでくし２０と把手１５を互いに回動自在に連結し、適宜抜け止めして取り付けてなる。そして、図６に示すように、くし２０を、常時ねじりコイルばね２９で付勢し、通液路出口１８ａを基端面２４ａに当てて塞ぎ、その通液路出口１８ａと給液路入口２１ｂ・２２ｂとが連通しない第１位置に保持してなる。
【００４４】
さて、使用時は、たとえばスタートスイッチをオンして給水ポンプを作動し、グリップ部１６を握って頭部にくし歯２５の歯部２５ｂを当てる。そして、くし１０を移動して髪をかき分け、分け目から頭皮を露出させる。
【００４５】
そのとき、くし２０を、たとえば図７中矢印Ｃ方向に移動すると、把手１５側のピン１７ａでねじりコイルばね２９の一端２９ａを押圧し、そのねじりコイルばね２９に抗して把手１５がくし２０の円筒部２４ｅの内周基準で図中鎖線で矢示する反時計方向に回動する。そして、くし２０を、その移動方向Ｃ後側の給液路入口２１ｂが通液路出口１８ａと連通する一側の第２位置とする。すると、給水チューブ１９から送り込まれる水が、通液路出口１８ａから給液路入口２１ｂを通って給液路２１に入り、くし２０の移動方向Ｃの後側で、給液路出口２１ａから吐出して頭皮を洗浄する。
【００４６】
また、髪をかき分ける方向を変えるべく、くし歯２５を頭部から離すと、ねじりコイルばね２９の付勢力でくし２０を把手１５に対し図７中時計方向に回動し、自動的に図６に示す元の第１位置に復帰する。
【００４７】
そして、再び頭部にくし歯２５の歯部２５ｂを当て、くし２０を反対の図８中矢印Ｄ方向に移動して髪をかき分けると、今度は、ピン１７ｂでねじりコイルばね２９の他端２９ｂを押圧し、そのばね２９に抗して把手１５がくし２０に対し図中鎖線で矢示する時計方向に回動する。そして、くし２０を、その移動方向Ｄ後側の給液路入口２２ｂが通液路出口１８ａと連通する他側の第２位置とする。すると、給水チューブ１９から送り込まれる水の通水経路が切り替わり、水は、通液路出口１８ａから給液路入口２２ｂを通って給液路２２に入り、くし２０の移動方向Ｄの後側で、給液路出口２２ａから吐出して頭皮を洗浄する。
【００４８】
このように図示実施の形態では、使用時、くし２０の移動方向に応じて、自動的に通水経路が切り替わり、常にくし２０の移動方向後側の給液路出口からのみ水を吐出するから、そのくし２０の移動方向後側で露出した頭皮に水を効率よく当てることができる。
【００４９】
ところで、この図示実施の形態では、給液路入口２１ｂ・２２ｂが２つの場合の例を示した。しかし、給液路入口が１つの場合でも、くしを、常時は給液路入口と把手の通液路出口とが連通しない第１位置に保持し、くしを第２位置へ回動すると、給液路入口と通液路出口とが連通する止水構造とすることもできる。これにより、使用時、従来の如くバルブの押ボタン等をいちいち操作しなくても、髪をすきながら給液路入口を自動的に開閉することができる。
【図面の簡単な説明】
【００５０】
【図１】この発明の一実施の形態であるくし型頭皮洗浄具に備えるくしを、その一側から見て示す側面図である。
【図２】図１中線Ｘ−Ｘに沿って得た断面を矢示方向から見て示すくしの縦断面図である。
【図３】他例のくしのくし歯に沿う縦断面図である。
【図４】図５に示す他例のくしのくし歯に沿う縦断面図である。
【図５】そのくしと把手の斜視図である。
【図６】そのくしを給液路入口と把手の通液路とが連通しない第１位置としたとき、くしの基端部側をその長さ方向手前側から見て示す状態説明図である。
【図７】そのくしを給液路入口と把手の通液路とが連通する第２位置としたとき、くしの基端部側をその長さ方向手前側から見て示す状態説明図である。
【図８】そのくしを給液路入口と把手の通液路とが連通する他の第２位置としたとき、くしの基端部側をその長さ方向手前側から見て示す状態説明図である。
【図９】従来のくし型頭皮洗浄具を示す縦断面図である。
【図１０】従来の他のくし型頭皮洗浄具に備えるくしの部分縦断面図である。
【符号の説明】
【００５１】
１０・２０              くし
１２・２５              くし歯
１２ｂ・１２ｃ・１２ｄ  くし歯の歯部
１３・２１・２２        給液路
１３ａ・２１ａ・２２ａ  給液路出口
１５                    把手
１８                    通液路
１８ａ                  通液路出口
２１ｂ                  給液路入口（第１の給液路入口）
２２ｂ                  給液路入口（第２の給液路入口）
２９                    ねじりコイルばね（付勢ばね）
【図１】
2004249120.tif 000003
【図２】
2004249120.tif 000004
【図３】
2004249120.tif 000005
【図４】
2004249120.tif 000006
【図５】
2004249120.tif 000007
【図６】
2004249120.tif 000008
【図７】
2004249120.tif 000009
【図８】
2004249120.tif 000010
【図９】
2004249120.tif 000011
【図１０】
2004249120.tif 000012
【手続補正書】
【提出日】平成16年4月12日(2004.4.12)
【手続補正１】
【補正対象書類名】特許請求の範囲
【補正対象項目名】全文
【補正方法】変更
【補正の内容】
【特許請求の範囲】
【請求項１】
内部に通液路を有し、その通液路出口を先端に設ける把手と、
内部に給液路を有し、その給液路出口をくし歯に設け、給液路入口が前記通液路出口と連通しない第１位置と、前記通液路出口と連通する第２位置とに回動自在に前記把手の先端に取り付けるくしと、
そのくしと前記把手との間に設けて前記くしを常時付勢して前記第１位置に保持する付勢ばねと、
を備える、くし型頭皮洗浄具。
【請求項２】
前記給液路入口として、前記くしを一方向に回動して前記第２位置としたとき前記通液路出口と連通する第１の給液路入口と、前記くしを他方向に回動して前記第２位置としたとき前記通液路出口と連通する第２の給液路入口とを設けてなる、請求項１に記載のくし型頭皮洗浄具。
【手続補正２】
【補正対象書類名】明細書
【補正対象項目名】０００７
【補正方法】変更
【補正の内容】
【０００７】
ところが、上述の従来のものでは、いずれも、液体を供給するとき、いちいち指で押ボタン部を操作しないと、バルブを開けることができず、操作が面倒で、その点において使い勝手が悪いという課題がある。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
そこで、請求項１に記載の発明は、くし型頭皮洗浄具において、たとえば以下の図４〜図８に示す実施の形態のように、内部に通液路１８を有し、その通液路出口１８ａを先端に設ける把手１５と、内部に給液路２１・２２を有し、その給液路出口２１ａ・２２ａをくし歯２５に設け、給液路入口２１ｂ・２２ｂが前記通液路出口１８ａと連通しない第１位置と、前記通液路出口１８ａと連通する第２位置とに回動自在に前記把手１５の先端に取り付けるくし２０と、そのくし２０と前記把手１５との間に設けて前記くし２０を常時付勢して前記第１位置に保持するねじりコイルばね２９のような付勢ばねと、を備えることを特徴とする。
【手続補正６】
【補正対象書類名】明細書
【補正対象項目名】００１１
【補正方法】変更
【補正の内容】
【００１１】
そして、常時は、くし２０を付勢ばねで付勢して第１位置に保持し、給液路入口２１ｂ・２２ｂと通液路出口１８ａとが連通しない止水状態とする。一方、使用時は、把手１５を手で持ち、頭部にくし歯２５を当てて付勢ばねに抗して回動して第２位置とし、液体を通液路出口１８ａから給液路入口２１ｂ・２２ｂを通して給液路２１・２２に送り込み、その給液路出口２１ａ・２２ａから吐出して頭皮を洗浄する。
【手続補正７】
【補正対象書類名】明細書
【補正対象項目名】００１２
【補正方法】変更
【補正の内容】
【００１２】
請求項２に記載の発明は、請求項１に記載のくし型頭皮洗浄具において、たとえば以下の図４〜図８に示す実施の形態のように、前記給液路入口として、前記くし２０を一方向に回動して前記第２位置としたとき前記通液路出口１８ａと連通する第１の給液路入口２１ｂと、前記くし２０を他方向に回動して前記第２位置としたとき前記通液路出口１８ａと連通する第２の給液路入口２２ｂとを設けてなる、ことを特徴とする。
【手続補正８】
【補正対象書類名】明細書
【補正対象項目名】００１３
【補正方法】変更
【補正の内容】
【００１３】
そして、くし歯２５を頭部に当て、くし２０を移動して一方向に回動したとき、通液路出口１８ａが第１の給液路入口２１ｂと連通し、その通液路出口１８ａから第１の給液路入口２１ｂを通して液体を給液路２１に送り込む。一方、くし歯２５を頭部に当て、くし２０を移動して他方向に回動したとき、通液路出口１８ａが第２の給液路入口２２ｂと連通し、その通液路出口１８ａから第２の給液路入口２２ｂを通して液体を給液路２２に送り込む。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】変更
【補正の内容】
【００２２】
したがって、請求項１に記載の発明によれば、くし型頭皮洗浄具にあって、くしを移動して髪をかき分けたとき、そのくしが第２位置に回動されると、給液路入口と通液路出口とを自動的に連通する構成とするから、使用時に、従来の如くバルブの押ボタン等をいちいち手動操作しなくても、簡単に給液路を開閉することができ、これにより、頭皮洗浄具の使い勝手を良くすることができる。
【手続補正１８】
【補正対象書類名】明細書
【補正対象項目名】００２３
【補正方法】変更
【補正の内容】
【００２３】
請求項２に記載の発明によれば、加えて、くしを移動して髪をかき分けたとき、くしの回動方向に応じて、いずれか一方の給液路入口が把手の通液路出口と連通するように給液路入口を２つ設けるから、使用時、くしの移動と連動して給液路入口を自動的に開閉することができ、その結果、頭皮洗浄具の使い勝手をより一層良好にすることができる。
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】変更
【補正の内容】
【００２７】
以下、図面を参照しつつ、この発明の実施の形態について説明する。
図１に、くし型頭皮洗浄具に備えるくしの一例を示す。
【手続補正２３】
【補正対象書類名】明細書
【補正対象項目名】００２９
【補正方法】変更
【補正の内容】
【００２９】
くし歯１２は、そのうちの図１中左右両端以外のものを、図２に示すように形成する。やや厚肉な基部１２ａの先端に、その図中左側から一段薄肉な歯部１２ｂを突出して形成する。そして、その基部１２ａ内に、給液路１３から分岐する流路を図中下向きに形成し、その給液路出口１３ａを、くし歯１２の途中で歯部１２ｂの図中右側から図中下向きに開口してなる。
【手続補正２４】
【補正対象書類名】明細書
【補正対象項目名】００３３
【補正方法】変更
【補正の内容】
【００３３】
ところで、上述した形態では、くし歯１２に歯部１２ｂを１つ設ける。しかし、くし歯１２には、たとえば図３に示すように、くし１０の移動方向Ｂにおいて、基部１２ａの前後両側から下向きにそれぞれ突出する歯部１２ｃ・１２ｄを設け、それら歯部１２ｃ・１２ｄ間に給液路出口１３ａを設けることもできる。
【手続補正２５】
【補正対象書類名】明細書
【補正対象項目名】００３５
【補正方法】変更
【補正の内容】
【００３５】
また、上述した形態では、給液路出口１３ａを１つ設ける。しかし、くし歯１２には、たとえば図４に示すように、その基部２５ａの先端ほぼ中間位置から図中下向きに歯部２５ｂを突出して設け、くし２０の移動方向Ｃ・Ｄにおいて歯部２５ｂの前後（図中左右）両側に給液路出口２１ａ・２２ａを設けることもできる。
【手続補正２６】
【補正対象書類名】明細書
【補正対象項目名】００３６
【補正方法】変更
【補正の内容】
【００３６】
そして、使用時は、くし２０を移動してくし歯２５で髪をかき分けるとき、その移動方向Ｃ・Ｄ前後両側の給液路出口２１ａ・２２ａから液体を吐出する。したがって、髪をかき分ける方向を途中で変えたとしても、給液路出口２１ａ・２２ａの少なくとも一方が歯部２５ｂの後側に位置し、その一方の給液路出口から突出する水を、髪をかき分けた後の頭皮に当てて洗浄することができる。
【手続補正２７】
【補正対象書類名】明細書
【補正対象項目名】００３７
【補正方法】変更
【補正の内容】
【００３７】
ところで、そのようにくし歯２５の前後両側に給液路出口２１ａ・２２ａを設ける場合は、図４に示すように、給液路出口２１ａ・２２ａの給液路２１・２２をそれぞれ個別に設けてもよいし、図示しないが、給液路出口２１ａ・２２ａに共通の給液路を１つ設ける構成としてもよい。
【手続補正２８】
【補正対象書類名】明細書
【補正対象項目名】００４０
【補正方法】変更
【補正の内容】
【００４０】
把手１５には、その長手のグリップ部１６の外周に複数の指当て凹部１６ａを設け、そのグリップ部１６の先端に、太径な円形の嵌合部１７を設ける。また、内部に長手方向に貫通する通液路１８を形成し、その通液路入口をグリップ部１６の基端面に設け、通液路入口に給水チューブ１９を接続する。一方、嵌合部１７の先端面には、パイプ状の細筒部１７ｃを立設してそこに通液路出口１８ａを形成する。また、その通液路出口１８ａの両側にピン１７ａ・１７ｂを立設してなる。
【手続補正２９】
【補正対象書類名】明細書
【補正対象項目名】００５０
【補正方法】変更
【補正の内容】
【００５０】
【図１】くし型頭皮洗浄具に備えるくしを、その一側から見て示す側面図である。
【図２】図１中線Ｘ−Ｘに沿って得た断面を矢示方向から見て示すくしの縦断面図である。
【図３】他例のくしのくし歯に沿う縦断面図である。
【図４】図５に示すくしのくし歯に沿う縦断面図である。
【図５】この発明によるくしと把手の斜視図である。
【図６】そのくしを給液路入口と把手の通液路とが連通しない第１位置としたとき、くしの基端部側をその長さ方向手前側から見て示す状態説明図である。
【図７】そのくしを給液路入口と把手の通液路とが連通する第２位置としたとき、くしの基端部側をその長さ方向手前側から見て示す状態説明図である。
【図８】そのくしを給液路入口と把手の通液路とが連通する他の第２位置としたとき、くしの基端部側をその長さ方向手前側から見て示す状態説明図である。
【図９】従来のくし型頭皮洗浄具を示す縦断面図である。
【図１０】従来の他のくし型頭皮洗浄具に備えるくしの部分縦断面図である。